(57)【特許請求の範囲】
【請求項１】
平板瓦の焼成システムにおける、焼成台車における白地又は焼成品を傾斜支持する棚板に対し白地を積み込んだり、焼成品を降ろす方法において、傾斜支持された複数枚の白地又は焼成品を一度に挟持した後にその傾斜方向へ持ち上げて移送すると共に、白地又は焼成品の傾斜方向へ下降させて、白地搬入ラインから空の棚板へ白地を積み込んだり、焼成台車から降ろされた棚板から焼成品搬出ラインへ焼成品を降ろす様にしたことを特徴とする平板瓦の焼成システムにおける白地又は焼成品の積込・降ろし方法。
【請求項２】
棚板本体上面に白地又は焼成品を傾斜支持する載置板を直列状に配列した棚板を台車本体上に配列載置してなる焼成台車の移動ライン側方に白地搬入ライン及び焼成品搬出ラインを配設し、白地搬入ライン終端側及び焼成品搬出ライン始端側に白地及び焼成品を傾斜支持する針山コンベヤを配設し、一方白地搬入ライン及び焼成品搬出ライン側方に焼成台車から降ろされた棚板を搬送する棚板搬送ラインを配設した平板瓦焼成システムにおいて、各針山コンベヤと棚板搬送ラインを跨ぐ様に配設した機枠上に、往復移動自在な台車を配設し、該台車下方に一方の針山コンベヤ上の複数枚の白地又は焼成台車から降ろされた棚板上の複数枚の焼成品を挟持する一対の挟持板を配設すると共に、該挟持板を白地又は焼成品の傾斜方向に昇降自在と成したことを特徴とする平板瓦焼成システムにおける白地又は焼成品の積込・降ろし装置。
【発明の詳細な説明】
【０００１】
【産業上の利用分野】
本発明は、平板瓦の白地を効率的に焼成する様にした瓦焼成システムにおいて、焼成台車における白地又は焼成品を傾斜支持する棚板に対し、白地又は焼成品を傾斜状態のまま積み込んだり、降ろす様にした平板瓦の焼成システムにおける白地又は焼成品の積込・降ろし方法及び積込・降ろし装置に関するものである。
【０００２】
【従来の技術】
従来、平板瓦の白地ｅの焼成台車ａとしては、図１２に示す様に、縦横方向に整列配設する、白地ｅより面積が小さい多数の載置板ｂを基台車ｃより立設した支持ピンｄによって水平に支持して、焼成効率及び焼成炉の燃費を向上させたものが見受けられるが、かかる焼成台車ａにあっては、載置板ｂ上に白地ｅを倒伏載置した状態において、白地ｅ相互が干渉しない様に、縦横方向に所定間隔ｆを設けねばならず、このため一台の焼成台車ａによる白地ｅの積載枚数が制限されるため、生産効率が悪くなる欠点を有していた。
【０００３】
そこで、図１３に示す様に焼成台車ａの載置板ｂを同方向に傾斜させて、白地ｅを傾斜状に倒伏載置する様にして、積載枚数を増やすと共に焼成効率を向上させる様したものも見受けられるが、かかる焼成台車ａへの白地ｅの積込作業は、平伏状態の白地ｅを載置板ｂと同角度に傾けた後に載置板ｂ上へ直上から積み込む様にした装置があるも、前方の載置板ｂの上端側とその後方の載置板ｂの下端側をオーバーラップさせた焼成台車ａにあっては、載置板ｂが邪魔に成って焼成台車ａへ積み込めなかった。
【０００４】
【発明が解決しようとする課題】
本発明は、載置板を同方向に傾斜させて、白地を傾斜状に倒伏載置する様にした焼成台車における棚板への白地の積込み及び棚板からの焼成品の降ろしを機械化して自動的に行う様にした平板瓦の焼成システムにおける白地又は焼成品の積込・降ろし方法及び積込・降ろし装置を提供せんとするものである。
【０００５】
【課題を解決するための手段】
本発明は、上記従来技術に基づく、多数の載置板を同方向に傾斜させて、白地を傾斜状に倒伏載置することにより、焼成効率及び焼成炉の燃費を良好と成すと共に、白地の積載枚数を増加させた焼成台車への白地の積込作業、及び焼成後の焼成品の降ろし作業が困難な課題に鑑み、焼成台車の幅方向に往復移動自在な台車下方に、白地搬入ライン又は焼成台車から降ろされた棚板に傾斜支持された複数枚の白地又は焼成品を一度に挟持する一対の挟持板を、白地又は焼成品の傾斜方向に昇降自在に配設し、挟持板により挟持した平板瓦を移送して白地又は焼成品の傾斜方向へ下降させることによって、空の棚板又は焼成品搬出ラインに白地又は焼成品を自動的に積み込む様にして、上記課題を解決せんとしたものである。
【０００６】
【実施例】
以下本発明の一実施例を図面に基づいて説明すると、
１は平板瓦の白地Ｗを焼成して焼成品Waにする様にした焼成システムであり、該焼成システム１は、図１〜７に示す様に、平板瓦の白地Ｗを連続的に焼成処理するトンネル窯２と、該トンネル窯２に並設した、焼成台車３を走行移動させる移動ライン４と、該移動ライン４とトンネル窯２間に配設した焼成台車３を移動させるトラバーサー５、5aにより構成され、移動ライン４の終端側を白地Ｗの予熱窯６と成している。
【０００７】
焼成台車３は、図８及び図９に示す様に、車輪７、7a…を下部に装着した台車本体８上に、縦方向に所定間隔毎に立設した支持脚部９、9a…から成る載置列10、10a …を幅方向に並列形成し、各載置列10、10a …上に複数の棚板11、11a …を直列載架している。
【０００８】
又、各棚板11、11a …は、図１０に示す様に、棚板本体12が支持脚部９、9a…相互間に架設して、その両端部が支持脚部９、9a…の上面中央に位置し、かかる棚板本体12の上面長手方向に白地Ｗ又は焼成品Waの載置板13、13a …を傾斜状に所定間隔毎に設けている。
【０００９】
載置板13、13a …は、中間部より下方側へ徐々に板幅が狭くなる幅広な羽子板形状に形成して、その下端部を差込突部14、14a …と成し、一方棚板本体12上面には、幅方向に長いテーパー溝状と成した差込突部14、14a …の係合溝15、15a …を所定間隔毎に穿設している。
【００１０】
尚、載置板13、13a …の縦横寸法は白地Ｗ又は焼成品Waのそれより短くして、白地Ｗ又は焼成品Waの頭側及び両側部が載置板13、13a …からはみ出る様にしている。
【００１１】
又、載置板13、13a …の裏側には載置板13、13a …の傾斜状態を維持する支持板16、16a …を配設し、該支持板16、16a …の下端側は徐々に肉厚を薄くして楔形状と成すと共に、載置板13、13a …裏面の受承面17、17a …を載置板13、13a …と同傾斜の斜面と成し、一方棚板本体12上面に支持板16、16a …下端部に対応するテーパー溝状の嵌込孔18、18a …を穿設している。
【００１２】
そして、支持板16、16a …下端部を嵌込孔18、18a …に嵌め込んで棚板本体12上に支持板16、16a …を立設すると共に、載置板13、13a …の差込突部14、14a …を係合溝15、15a …に差し込んで、支持板16、16a …に載置板13、13a …に凭れ掛からせて、棚板本体12に載置板13、13a …を傾斜状にセットする様にしている。
【００１３】
又、各棚板11、11a …における棚板本体12上面にして各係合溝15、15a …の両側部前部には瓦受承部19、19a を形成し、該瓦受承部19、19a は白地Ｗ又は焼成品Waの尻側端面の受承傾斜面である瓦受承面20、20a を有する山状に突設している。
【００１４】
又、上記焼成台車３の棚板11、11a …における載置板13、13a …の傾斜角度及び前後方向間の寸法は、図１０に示す形態に限定せず、図示はしないが、載置板13、13a …の傾斜角度を急角度にすると共に前後方向間を狭くし、而も前方の載置板13、13a …上端側とその後方の載置板13、13a …下端側をオーバーラップさせる様にしても良い。
【００１５】
又、図２に示す様に、移動ライン４側方には白地Ｗ又は焼成品Waを平伏搬送する白地搬入ライン21及び焼成品搬出ライン21a を直列配設し、上流側の白地搬入ライン21終端側及び下流側の焼成品搬出ライン21a 始端側に針山コンベヤ22、22a を配設している。
【００１６】
針山コンベヤ22、22a は夫々に、図３に示す様に、フレーム23の両端部に枢支した回転体24、24a 間にベルト25を巻回すると共に、該ベルト25上面には白地Ｗ又は焼成品Waを所定間隔毎に傾斜保持する一対の支持杆26、26a を所定間隔毎に斜設している。
【００１７】
又、図１、２、５に示す様に、白地搬入ライン21及び焼成品搬出ライン21a の側方には棚板11、11a …を移動させる棚板搬送ライン27を配設し、該棚板搬送ライン27は連続若しくは間歇回転制御される多数の片持支持されるローラー28、28a …を所定間隔毎に配設して構成している。
【００１８】
針山コンベヤ22上の白地Ｗを棚板搬送ライン27上の空の棚板11、11a …に移載する白地積込装置29、及び棚板搬送ライン27上の棚板11、11a …に積載された焼成品Waを針山コンベヤ22a に移載する焼成品降ろし装置29a は、図３に示す様に、針山コンベヤ22、22a と棚板搬送ライン27を跨ぐ様に配設している。
【００１９】
白地積込装置29及び焼成品降ろし装置29a の夫々の機枠30は、図３及び図４に示す様に、針山コンベヤ22、22a 及び棚板搬送ライン27上方に支柱31、31a …を介して矩形枠状のベース枠32を配設して成り、該ベース枠32の横方向に一対のレール33、33a を並設し、該レール33、33a 上にはモーター34にて回転駆動する車輪35、35a …により走行制御される台車36を配設し、焼成台車３の幅方向に往復移動自在と成している。
【００２０】
又、台車36には四本のスライドシャフト37、37a …を上下動自在に縦貫配設し、該スライドシャフト37、37a …下端部に矩形枠状の上部支持枠38を固設し、スライドシャフト37、37a …の上下動により上部支持枠38を昇降自在と成している。
【００２１】
又、上部支持枠38には同方向に傾斜したシリンダー39、39a …を貫通固設し、該シリンダー39、39a …のロッド40、40a …先端部を下部支持枠41上面に固設しかかるシリンダー39、39a …の伸縮により矩形枠状の下部支持枠41を斜め上下方向に昇降自在と成している。
【００２２】
下部支持枠41下部には軸線をレール33、33a と平行としたガイド軸42を設け、該ガイド軸42の両端側には一対のスライドリング43、43a をスライド自在に配設し、該スライドリング43、43a 下部に針山コンベヤ22、上の白地Ｗ又は棚板搬送ライン27上の棚板11、11a …上の焼成品Waの両側に対向する挟持板44、44a を固設している。
【００２３】
挟持板44、44a は垂直な挟持部45と該挟持部45上端より外方へ水平突出したスライドリング43、43a への固定部46により構成している。
【００２４】
47、47a …は挟持板44、44a を水平移動自在と成す様にするシリンダーであり、該シリンダー47、47a …は下部支持枠41の四角部下部に固設したＬ型固定板48、48a …外面に水平に固設すると共に、該Ｌ型固定板48、48a …内面側へ突出したロッド49、49a …先端部を、挟持板44、44a における固定部46上に固設した固定板50、50a …に固設し、かかるシリンダー47、47a …の伸縮により挟持板44、44a 間を拡縮自在と成している。
【００２５】
又、台車36の上面には昇降駆動部51を設け、該昇降駆動部51は駆動モーター52の作動によりラックピニオン機構53、53a を介してスライドシャフト37、37a …を昇降制御することにより、挟持板44、44a を針山コンベヤ22、22a 及び棚板搬送ライン27上の棚板11、11a …に対応して昇降制御する様に成している。
【００２６】
又、焼成台車３の載置板13、13a …、針山コンベヤ22、22a の支持杆26、26a 及び白地積込装置29及び焼成品降ろし装置29a のシリンダー39、39a …は同方向に同角度傾斜している。
【００２７】
白地Ｗを積んだ棚板11、11a …を焼成台車３に積み込む棚板積込装置54、及び焼成品Waを積んだ棚板11、11a …を焼成台車３から降ろす棚板降ろし装置54a は、図５乃至図７に示す様に、焼成台車３の移動ライン４と棚板搬送ライン27を跨ぐ様に配設し、かかる棚板積込・降ろし装置54、54a は支柱55、55a …を介して移動ライン４と棚板搬送ライン27の上方にわたって移動レール56、56a を平行に配設すると共に、該移動レール56、56a 上には移動ライン４と棚板搬送ライン27間を往復走行制御される移動台車57を配設している。
【００２８】
又、移動台車57の下方には移動ライン４及び棚板搬送ライン27のライン方向に沿って且つ、棚板11、11a …の長さに対応した支持枠体58を上下動自在に配設すると共に、該支持枠体58にモーター（図示せず）等によって巻き上げられるチェーン、ロープ等の連繋部材59を連結し、モーターの作動によって支持枠体58を上下動制御している。
【００２９】
又、支持枠体58における前記ライン方向には、所定間隔にて少なくとも２本の回転軸60、60a …を垂直に挿通して回動自在に支持すると共に、支持枠体58より下方に延出する寸法Ｘを、棚板11、11a …上に載せる白地Ｗの高さ寸法Ｈより長く設定し、かかる回転軸60、60a …の下端部には水平に支持アーム61、61a …を固定している。
【００３０】
又、回転軸60、60a …は適宜なるリンク機構62、62a …を介して空油圧の直動シリンダーの駆動源63、63a と連結され、該駆動源63、63a の作動により回転軸60、60a …を所定方向に回転させて支持アーム61、61a …を前記ライン方向と直交する様に回転制御している。
【００３１】
又、乾燥ライン及び梱包ライン（図示せず）と接続される白地搬入ライン21及び焼成品搬出ライン21a は、図１に示す様に、乾燥ラインによって乾燥処理された白地Ｗ及びトンネル窯２によって焼成処理された焼成品Waを保管しておくべき多数の針山コンベヤから成るストックヤード64、64a と中継コンベヤ65、65a を介して連設する様に構成し、ストックヤード64、64a は焼成台車３の移動ライン４上方に配設すると共に、中継コンベヤ65は白地搬入ライン21における棚板積込装置54より上流側、中継コンベヤ65a は焼成品搬出ライン21a における棚板降ろし装置54a より下流側で分岐する様にしている。
【００３２】
次に瓦焼成システムの作用について説明すると、トンネル窯２にて焼成された焼成品Waが載った焼成台車３は、トラバーサ5aによって移動ライン４へ移送され、その後移動ライン４上を順次移動する。
【００３３】
移動ライン４を移動して棚板降ろし装置54a 下方まで達した焼成台車３は停止制御され、かかる棚板降ろし装置54a によって焼成品Waを積載した棚板11、11a …を載置列10、10a …毎に順次棚板搬送ライン27の始端側上に移載し、該棚板搬送ライン27により搬送されて焼成品降ろし装置29a 下方まで達した棚板11、11a …に積載された焼成品Waは順次焼成品降ろし装置29a によって、下流側の焼成品搬出ライン21a 始端側の針山コンベヤ22a 上まで挟着搬送されて移載され、そして針山コンベヤ22a の作動により焼成品Waを順次焼成品搬出ライン21a 上に平伏状態にして移載し、梱包ライン（図示せず）へ搬送される。
【００３４】
そして、棚板搬送ライン27上の最後の棚板11、11a …が焼成品降ろし装置29a 下方に達すると、棚板降ろし装置54a によって次の載置列10、10a …の棚板11、11a …を棚板搬送ライン27に移載することを繰り返し行って、焼成台車３上の全ての棚板11、11a …を棚板搬送ライン27に移載し、空になった焼成台車３は下流側へ移送される。
【００３５】
一方、空になった棚板11、11a …は棚板搬送ライン27により搬送されて白地積込装置29下方に達すると、該白地積込装置29により針山コンベヤ22上の白地Ｗを、棚板搬送ライン27上の空の棚板11、11a …上まで挟着搬送して移載し、棚板積込装置54下方に白地Ｗを積載した棚板11、11a …が所定台数揃うと、かかる棚板積込装置54によって白地Ｗを積載した棚板11、11a …を焼成台車３の載置列10、10a …に順次移載し、しかる後白地Ｗを満載した焼成台車３は移動ライン４上を順次移動し、予熱窯６を経て白地Ｗを予備乾燥した後、トラバーサ５を介してトンネル窯２内に搬入され焼成される。
【００３６】
又、棚板11、11a …に対する白地Ｗ及び焼成品Waの積込・降ろし方法及び積込・降ろし装置の作用について詳細に説明すると、
先ず、白地Ｗの積込方法及び白地積込装置29の作用としては、白地搬入ライン21により平伏状態で搬送されてきた白地Ｗを針山コンベヤ22により傾斜状に起こし、該針山コンベヤ22上に所定枚数の白地Ｗが傾斜状態で縦列すると、針山コンベヤ22の上方で待機していた白地積込装置29の上方及び下方支持枠38、41が昇降駆動部51の作動により下降して挟持板44、44a が針山コンベヤ22上の白地Ｗの両側に対向位置し、続いてシリンダー47、47a …の伸長により挟持板44、44a を内方へ移動させて針山コンベヤ22上の全ての白地Ｗを一度に挟持し、しかる後伸長状態のシリンダー39、39a …が縮退して下方支持枠41と共に挟持板44、44a が斜上方へ上昇することにより白地Ｗを持ち上げる。
【００３７】
続いて、モーター34の作動により台車36が針山コンベヤ22の上方から棚板搬送ライン27上の空の棚板11、11a …上方まで走行移動して、載置板13、13a …間の延長線上に白地Ｗを配し、かかる積込み位置において白地Ｗの持ち上げとは逆の操作、即ちシリンダー39、39a …を伸長させることにより挟持板44、44a が斜め下方へ下降して、白地Ｗを載置板13、13a …間に差し込むと共に、シリンダー47、47a …の縮退により挟持板44、44a が外方へ開放移動して針山コンベヤ22上より挟持して来た白地Ｗを棚板11、11a …に傾斜状にして倒伏載置し、以上の動作を反復することにより棚板搬送ライン27上の空の棚板11、11a …上に白地Ｗを積み込む様にしている。
【００３８】
次に、焼成品Waの降ろし方法及び焼成品降ろし装置29a の作用としては、白地積込装置29とは逆の操作を行って、棚板搬送ライン27上の焼成品Waを積載した棚板11、11a …から針山コンベヤ22a へ焼成品Waを移載するが、針山コンベヤ22a 上に移載された焼成品Waを全て焼成品搬出ライン21a 上に平伏状態にして移載した後に、次の棚板11、11a …上の焼成品Waを針山コンベヤ22a に移載する様にしている。
【００３９】
又、焼成台車３に対する棚板11、11a …の積込・降ろし方法及び積込・降ろし装置の作用について詳細に説明すると、
焼成品Waを積載した棚板11、11a …の降ろし方法及び棚板降ろし装置54a の作用については、棚板降ろし装置54a の移動台車57を焼成台車３の上方へ移動させると共に、移動台車57に設けられる支持枠体58を下降させ、該支持枠体58より垂設する回転軸60、60a …を焼成台車３上の各焼成品群間の隙間を通過させ、該回転軸60、60a …下端の支持アーム61、61a …を棚板11、11a …下方に位置させた後、駆動源63、63a …を作動させてリンク機構62、62a …を介して支持アーム61、61a …を水平回転させて棚板11、11a …直下に位置する様にし、かかる状態より支持枠体58を上昇させると、支持アーム61、61a …によって棚板11、11a …の底面を支持した状態で掬い上げる。
【００４０】
しかる後、移動台車57を棚板搬送ライン27始端側の上方に移動し、支持枠体58を下降させて棚板搬送ライン27を構成している多数のローラ28、28a …上に棚板11、11a …を移載する。
【００４１】
次に、白地Ｗを積載した棚板11、11a …の積込方法及び棚板積込装置54の作用としては、棚板降ろし装置54a とは逆の操作を行って、棚板搬送ライン27上の白地Ｗを積載した棚板11、11a …を焼成台車３へ移載する様にしている。
【００４２】
又、トンネル窯２が停止している場合には、白地搬入ライン21から搬入される白地Ｗを中継コンベヤ65を介してストックヤード64にストックすると共に、ストックヤード64a にストックされた焼成品Waを中継コンベヤ65a を介して焼成品搬出ライン21a へ搬出して梱包ラインへ搬送し、又乾燥ライン及び梱包ラインが停止している場合には、ストックヤード64にストックされた白地Ｗを中継コンベヤ65を介して白地搬入ライン21へ搬出して焼成工程を行うと共に、焼成品搬出ライン21a 上に移載された焼成品Waを中継コンベヤ65a を介してストックヤード64a にストックする様にしている。
【００４３】
【発明の効果】
要するに本発明は、焼成台車３における白地Ｗ又は焼成品Waを傾斜支持する載置板13、13a …を設けた棚板11、11a …に対し白地Ｗを積み込んだり、焼成品Waを降ろす様にしたので、焼成効率及び焼成炉の燃費を良好にすることが出来、且つ１台の焼成台車３に対する平板瓦Ｗの積載枚数を向上させることが出来る。
【００４４】
又、傾斜支持された複数枚の白地Ｗ又は焼成品Waを一度に挟持した後にその傾斜方向へ持ち上げて移送すると共に、白地Ｗ又は焼成品Waの傾斜方向へ下降させて、白地搬入ライン21から空の棚板11、11a …へ白地Ｗを積み込んだり、焼成台車３から降ろされた棚板11、11a …から焼成品搬出ライン21a へ焼成品Waを降ろす様にしたので、載置板13、13a …が積込・降ろし時に白地Ｗ又は焼成品Waの邪魔にならず、簡単に積み込んだり、降ろしたりすることが出来、而も焼成台車３における１個の棚板11、11a …に対し一度に複数枚の白地Ｗ又は焼成品Wa積み込んだり、降ろしたりすることが出来るため、積込・降ろし作業の短時間化及び省力化を図ることが出来、特に載置板13、13a …間が狭く、前方の載置板13、13a …上端側とその後方の載置板13、13a …下端側をオーバーラップさせて積載枚数を増やした棚板11、11a …に対する白地Ｗ又は焼成品Waの積込・降ろしには最適である。
【００４５】
又、棚板本体12上面に白地Ｗ又は焼成品Waを傾斜支持する載置板13、13a …を直列状に配列した棚板11、11a …を、台車本体８上に配列載置してなる焼成台車３の移動ライン４側方に白地搬入ライン21及び焼成品搬出ライン21a を配設し、白地搬入ライン21終端側及び焼成品搬出ライン21a 始端側に白地Ｗ及び焼成品Waを傾斜支持する針山コンベヤ22、22a を配設し、一方白地搬入ライン21及び焼成品搬出ライン21a 側方に焼成台車３から降ろされた棚板11、11a …を搬送する棚板搬送ライン27を配設した瓦焼成システムにおいて、各針山コンベヤ22、22a と棚板搬送ライン27を跨ぐ様に配設した機枠30上に、往復移動自在な台車36を配設し、該台車36下方に一方の針山コンベヤ22上の複数枚の白地Ｗ又は焼成台車３から降ろされた棚板11、11a …上の複数枚の焼成品Waを挟持する一対の挟持板44、44a を配設すると共に、該挟持板44、44a を白地Ｗ又は焼成品Waの傾斜方向に昇降自在と成したので、上記積込・降ろし方法を機械的に自動化出来る等その実用的効果甚だ大なるものである。
【図面の簡単な説明】
【図１】本発明に係る瓦焼成システムの概略平面図である。
【図２】白地又は焼成品の積込・降ろし装置の概略平面図である。
【図３】図２の正面図である。
【図４】図２の側面図である。
【図５】棚板積込・降ろし装置の正面図である。
【図６】図５の側面図である。
【図７】図５の要部斜視図である。
【図８】焼成台車の平面図である。
【図９】図８の側面図である。
【図１０】棚板の断面図である。
【図１１】棚板本体の平面図である。
【図１２】従来の焼成台車の側面図である。
【図１３】図１２の他の実施例の側面図である。
【符号の説明】
３          焼成台車
４          移動ライン
８          台車本体
11、11a …  棚板
12          棚板本体
13、13a …  載置板
21          白地搬入ライン
21a         焼成品搬出ライン
22、22a     針山コンベヤ
27          棚板搬送ライン
30          機枠
36          台車
44、44a     挟持板
Ｗ          白地
Wa          焼成品
【図１】
0003715341.tif 000002
【図２】
0003715341.tif 000003
【図３】
0003715341.tif 000004
【図４】
0003715341.tif 000005
【図５】
0003715341.tif 000006
【図６】
0003715341.tif 000007
【図７】
0003715341.tif 000008
【図８】
0003715341.tif 000009
【図９】
0003715341.tif 000010
【図１０】
0003715341.tif 000011
【図１１】
0003715341.tif 000012
【図１２】
0003715341.tif 000013
【図１３】
0003715341.tif 000014